(57)【要約】      （修正有）【課題】従来のものより盗難を困難にした、デスクトップパソコン盗難防止装置を提供する。【解決手段】デスクトップパソコン本体を固定金具2で机に固定することにより、盗難から守ることが出来る。固定金具を使用しトルクスタンパーネジ5という特殊ネジを使用し机に固定することを特徴とする盗難防止器具である。また、マウス、キーボード、ディスプレイのケーブル6をケーブル押さえ4でトルクスタンパーネジという特殊ネジを使って固定することを特徴とする。【選択図】図１
0003102716.tif 000002
【実用新案登録請求の範囲】
【請求項１】
デスクトップパソコン本体を固定金具で机に固定することを特徴とする盗難防止器具。
【請求項２】
マウス、キーボード、ディスプレイのコードを、コード押さえで同時に固定することを特徴とする請求項１記載の盗難防止器具。
【請求項３】
デスクトップパソコンを机の天板下に取付ける事による、省スペース化が出来ることを特徴とする請求項１記載の盗難防止器具。
【考案の詳細な説明】
【技術分野】
【０００１】  この発明は、デスクトップパソコン盗難防止装置の形状に関する。
【背景技術】
【０００２】  従来の盗難防止器具はノートパソコンやデスクトップパソコンではワイヤーで机に繋ぐものがあったが、ペンチ等で簡単に切断されて盗難にあう被害があった。そこで図に示すようにデスクトップパソコン用盗難防止器具を考案したものである。
【考案の開示】
【考案が解決しようとする課題】
【０００３】  ワイヤーを使用する盗難防止方法に代えて、デスクトップパソコンを盗難から守る有効な盗難防止方法が提供されていなかった。
【課題を解決するための手段】
【０００４】  以上の課題を解決するために、デスクトップパソコン本体を盗難防止器具で机に固定すれば、盗難から守ることが出来る。第一考案は、固定金具でトルクスタンパーネジ等のいたずら防止ネジを使用し、机に固定する（図１）ことを特徴とする、簡単に盗難する事が困難な盗難防止器具である。
また、第二考案は、マウス、キーボード、ディスプレイのコードをケーブル押さえ（図４）で同時に固定すれば、簡単に盗難する事が困難なことを特徴とするデスクトップパソコン盗難防止器具である。
また、第三考案は、固定金具を机の天板の下に取付け（図２）れば省スペースとして有効である。
【考案の効果】
【０００５】  第一考案、または第二考案によれば、特殊工具を使わなければネジを取り外す事ができない為、盗難することが困難である。
【考案を実施するための最良の形態】
【０００６】  次に本考案を図面に基づいて説明する。図１は本考案に係わるデスクトップパソコン盗難防止装置の一実施形態を示す斜視図、図２は平面図である。図３はケーブル押さえの平面図であり、図４はトルクスタンパーネジの平面図である。
デスクトップパソコン盗難防止器具２の固定金具は金属製であり、デスクトップパソコン本体の大きさに作ってあり、その内側には３の滑り止めのゴムが接着してあり、パソコンを抜き取ることはできない。
ディスプレイとキーボードやマウスのケーブル６は、４のケーブル押さえで固定すれば、ケーブルを切断しない限り、ディスプレイやキーボードとマウスは、取り外す事は出来ない。
５のトルクスタンパーネジ等のいたずら防止ネジ（図４）を、使用することにより、特殊工具を使用しなければパソコン本体、ディスプレイ、キーボード、マウス等は取り外すことは出来ないようにしたものである。【０００７】「実施形態の効果」
この実施形態によれば、盗難防止器具として効果がある。【０００８】「他の実施形態」
図２の様な実施形態で、２の上下を逆さ向けに、机天板の下側に取付ければ省スペース用吊り下げ金具としても効果がある。
【図面の簡単な説明】
【０００９】
【図１】この考案の一実施形態を示す斜視図である。
【図２】本考案の取付けを示す平面図である。
【図３】本考案のケーブル押さえを示す平面図である。
【図４】本考案のトルクスタンパーネジを示す平面図である。
【符号の説明】
【００１０】１  デスクトップパソコン                ２  固定金具
３  すべり止めゴム                      ４  コード押さえ
５  トルクスタンパーネジ（特殊ネジ）    ６  ケーブル
【図１】
0003102716.tif 000003
【図２】
0003102716.tif 000004
【図３】
0003102716.tif 000005
【図４】
0003102716.tif 000006
【手続補正書】
【提出日】平成16年1月13日(2004.1.13)
【手続補正１】
【補正対象書類名】明細書
【補正対象項目名】０００４
【補正方法】変更
【補正の内容】
【０００４】  以上の課題を解決するために、第一考案はデスクトップパソコン本体をコの字型の金属バンドにて、いたずら防止ネジを利用して机に固定する盗難防止器具である。
また、第二考案は、マウス、キーボード、ディスプレイのコードをケーブル押さえで同時に固定する事を特徴とするデスクトップパソコン盗難防止器具である。
【手続補正２】
【補正対象書類名】明細書
【補正対象項目名】０００６
【補正方法】変更
【補正の内容】
【０００６】  次に本考案を図面に基づいて説明する。図１は本考案の平面図である。図２は本考案の斜視図である。図３は本考案に係わるデスクトップパソコン盗難防止装置の一実施形態を示す斜視図、図５はケーブル押さえといたずら防止ネジの平面図であり、図６はいたずら防止ネジの内トルクスタンパーネジの平面図である。
デスクトップパソコン盗難防止器具２の固定金具は金属製であり、デスクトップパソコン本体の大きさに作ってあり、その内側には３の滑り止めのゴムが接着してあり、パソコンを抜き取ることはできない。
ディスプレイとキーボードやマウスのケーブル６は、図５のケーブル押さえで固定すれば、ケーブルを切断しない限り、ディスプレイやキーボードとマウスは、取り外す事は出来ない。
図６のいたずら防止ネジを、使用することにより、特殊工具を使用しなければパソコン本体、ディスプレイ、キーボード、マウス等は取り外す事は出来ないようにしたものである。
【手続補正３】
【補正対象書類名】明細書
【補正対象項目名】０００８
【補正方法】変更
【補正の内容】
【０００８】図４の様な実施形態で、１の上下を逆さ向けに、机天板の下側に取付ければ省スペース用吊り下げ金具としても効果がある。
【手続補正４】
【補正対象書類名】明細書
【補正対象項目名】０００９
【補正方法】変更
【補正の内容】
【０００９】
【図１】この考案の平面図である。
【図２】この考案の斜視図である。
【図３】この考案の一実施形態を示す斜視図である。
【図４】本考案の取付けを示す平面図である。
【図５】ケーブル押さえを示す平面図である。
【図６】いたずら防止ネジのうちトルクスタンパーネジを示す平面図である。
【手続補正５】
【補正対象書類名】明細書
【補正対象項目名】００１０
【補正方法】変更
【補正の内容】
【００１０】１  固定金具                  ２  デスクトップパソコン
３  すべり止めゴム            ４  コード押さえ
５  いたずら防止ネジ          ６  ケーブル
【手続補正６】
【補正対象書類名】図面
【補正対象項目名】全図
【補正方法】変更
【補正の内容】
【図１】
0003102716.tif 000007
【図２】
0003102716.tif 000008
【図３】
0003102716.tif 000009
【図４】
0003102716.tif 000010
【図５】
0003102716.tif 000011
【図６】
0003102716.tif 000012
【手続補正書】
【提出日】平成16年1月13日(2004.1.13)
【手続補正１】
【補正対象書類名】実用新案登録請求の範囲
【補正対象項目名】全文
【補正方法】変更
【補正の内容】
【実用新案登録請求の範囲】
【請求項１】
デスクトップパソコン本体をコの字型の形状を有する金属バンドに滑り止めゴムを挟み、机に締め付け固定することを特徴としたパソコン盗難防止器具。
【請求項２】
マウス、キーボード、ディスプレイのコードを、への字型をした金属製のコード押さえで請求項１記載の盗難防止器具と一緒に机に固定する事を特徴とした盗難防止器具。
【請求項３】
デスクトップパソコン本体を請求項１記載の盗難防止器具を利用して天板下に取付ける事を特徴とする盗難防止器具。